(57)【要約】      （修正有）【課題】時間当たり運動効率が高い砂又は粒状及び流動物質が持つ特性を広く一般人が手軽にトレーニングできる機会を提供する。【解決手段】電動無端ベルト４上に粒状物質もしくは流動物質Ａを連続的に供給する供給手段と、無端ベルトの移動端部において粒状物質もしくは流動物質を回収する回収手段と、回収した粒状物質もしくは流動物質を前記供給手段へ移動する移動手段３とを設け、前記供給手段、回収手段、移動手段を一括してもしくは独立して稼動、停止を制御する制御手段２を備える。【選択図】図１
2008220467.tif 000002
【特許請求の範囲】
【請求項１】
電動無端ベルト上に粒状物質もしくは流動物質を連続的に供給する供給手段と、無端ベルトの移動端部において粒状物質もしくは流動物質を回収する回収手段と、回収した粒状物質もしくは流動物質を前記供給手段へ移動する移動手段とから成り、前記供給手段、回収手段、移動手段を一括してもしくは独立して稼動、停止を制御する制御手段を備えて成る高負荷運動器具。
【発明の詳細な説明】
【技術分野】
【０００１】
本発明は、一般的にトレッドミルと称される健康器具、運動器具、リハビリ器具に関し、砂又は粒状及び流動物質を利用して運動負荷を高め、トレーニング効率を上げるものである。
【背景技術】
【０００２】
ランニングマシンやウオーキングマシンなど、トレッドミルと呼ばれる運動機器は、電動の無端ベルトの上を利用者が走行または歩行することによって、脚力や心肺機能を高めるように工夫された運動機器である。無端ベルトの移動速度や軌道の傾斜角度を調節可能にしたり、体力に応じて運動量を設定したり、運動量や心肺状態を表示したりする機能が付加されたものなど、様々な機能を有するものが提供されている。
一方で、ランニングやウオーキングにおいて、平坦な硬い路面よりも砂浜などの流動物質もしくは柔軟物質の上での運動がより運動効果が高いことが運動学や医学の研究で明らかにされている。
【０００３】
【特許文献１】特開２００４−１１３６８２  「水中歩行装置システム」
【特許文献２】特開２００１−６１９９２  「凹凸歩行面生成装置」
【特許文献３】特開平７−１３６２９３  「投込み式水中トレッドミル」
【非特許文献１】Ｔｈｅ  Ｊｏｕｒｎａｌ  ｏｆ  Ｅｘｐｅｒｉｍｅｎｔａｌ  Ｂｉｏｌｏｇｙ  ２０１，２０７１−２０８０（１９９８）  砂上における人体運動の力学とエネルギー論Ａ．Ｍ．ＬＥＪＥＵＮＥ  他２名著  ベルギー
【非特許文献２】Ｅｕｒ  Ｊ  Ａｐｐｌ  Ｐｈｙｓｉｏｌ  （２００１）８６：  ６２−７０  砂の上と芝生を走るときのエネルギー消費量について  Ｈ．Ｃ．ＰＩＮＮＩＮＧＴＯＮ  著  オーストラリア
【非特許文献３】Ｅｕｒ  Ｊ  Ａｐｐｌ  Ｐｈｙｓｉｏｌ  （１９９２）６５：  １８３−１８７  砂の上での歩行・走行時のエネルギーコストについて  Ｐ．ＺＡＭＰＡＲＯ  他３名著      イタリー
【発明の開示】
【発明が解決しようとする課題】
【０００４】
近年は運動不足による健康障害範囲が年々増加し、社会保障費の増大は国家財政に大きな負担になっている。予防医学の必要性とその効果は財政面のみでなく精神面よりしてもより一層の必要性が叫ばれている。砂上でのトレーニングが、高負荷トレーニングとして認識されてはいるものの、砂のある場所まで出向かなければならないことや、そのような場所が砂浜など屋外であるため天候に左右されて自由に継続的に利用できにくいことなどから、一部の限られたプロ又は上級アマチュア選手が利用するにとどまっている。そこで本発明では、時間当たり運動効率が高い砂又は粒状及び流動物質が持つ特性を広く一般人が手軽にトレーニングできる機会を提供しようとするものである。
【課題を解決するための手段】
【０００５】
このような課題を解決するために本発明では、電動無端ベルト上に粒状物質もしくは流動物質を連続的に供給する供給手段と、無端ベルトの移動端部において粒状物質もしくは流動物質を回収する回収手段と、回収した粒状物質もしくは流動物質を前記供給手段へ移動する移動手段とを設け、前記供給手段、回収手段、移動手段を一括してもしくは独立して稼動、停止を制御する制御手段を備えて成るものである。
【発明の効果】
【０００６】
このように構成することによって、室内での継続トレーニングが可能であり、かつ全天候型であり、海岸まで赴く必要が解消され、時間と費用の削減効果が可能である。トレーニングは、運動靴の使用も可能であるが、裸足でのトレーニングも可能であり、裸足の場合は、忘れられつつある大地の触感がもたらす精神面への効果や脳内活動能力の活性化、更には足の五指の運動効果が医学的見地よりしても大きい。
【発明を実施するための最良の形態】
【０００７】
本発明は、トレッドミル等の電動式回転無端ベルトのベルト上に、砂または粒状物質もしくはゲル状物質等の流動物質（以下、砂等と言う）を連続的に供給し、ベルトの回転端部で砂等を回収し、コンベア等の適宜な手段で回収した砂等を再びベルト上に供給するようにした、循環使用の高負荷運動器具である。
【０００８】
図１は縦断側面図を、図２は縦断正面図を示す。砂等Ａが昇降機３を利用し常時歩行面又は走行面に供給できる機構を示す。７は落下した砂等Ａを平坦にする均平板で、上下に調節可能に構成することにより、ベルト４上の砂等Ａの厚みを調節して、運動負荷を調節可能にすることも可能であるとともに、不用意に足のつま先がベルト４の上流側に入り込まないような危険防止をも具備するものである。
【０００９】
６は砂等Ａの飛散防止板で、歩行又は走行時の砂等Ａの横方向への飛散を防止する。ベルト４上から飛散した砂等Ａやベルト４の端部から部分的に落下した砂等Ａは回収板８で搬送機５上へ回収される。
【００１０】
ベルト４は既存のトレッドミル等と同様に回転速度や傾斜角度が調整可能であるものが利用し得る。ホッパー２に貯留された砂等Ａは自重でベルト４上に落下し、ベルト４の回転とともに順次後方へと繰り出されていく。ホッパー２から落下する砂等Ａの量を調節するためにホッパー２下部に開口量を調節する機構が装備されていることが好ましい。ベルト４上に落下した砂等Ａは均平板７で平らに、あるいは適宜な表面状態に均されて繰り出される。ベルト４の所定位置において訓練者Ｈが砂等Ａの上を歩行または走行する。順次後方に繰り出されたベルト４上の砂等Ａはベルト４の後端部で搬送機５上に落下して、搬送機５でベルト４の前方に搬送される。搬送機５の前端部には昇降機３が配置されていて、搬送機５で搬送された砂等Ａを上方に搬送してホッパー２に供給する。ベルト４上での歩行または走行の際に足に付いた砂等Ａが周囲に飛散することがあるので、訓練者Ｈの側面には飛散防止板６を設け、飛散した砂等Ａを回収することができるように配慮されている。
【００１１】
原理は簡明であるので、従来器具との一体化だけでなく、側面にセットも可能で、更には大きな駆動力を用いない回転式足踏み方式等への応用も可能であり応用範囲は広い。
【００１２】
本発明は、砂等を利用して運動負荷を高めることを特徴とする運動器具であり、運動器具の構造、駆動装置等を制限するものでない。
【産業上の利用可能性】
【００１３】
本発明に利用可能な粒状物質としては、好ましくは粒度が調整された砂、人工的な例えばセラミック粒子、ガラスビーズ、合成樹脂粒子などが利用できる。また、柔軟な皮殻で構成された中空球や柔軟なゲル状物質を充填した球状の粒子も利用可能である。更には、適宜な硬度に調整したゲル状の物質を使用することも可能である。
昇降機３については、ベルト式バケット昇降機やスクリュウ式などが、砂等の材質や形状に応じて適宜選択して使用し得るものである。同様に搬送機５についても、ベルト式やスクリュウ式などが適宜使用され得る。
【００１４】
本発明により、主として既存器具の付加価値を高める事、本案原理を応用した新規器具開発、自己責任健康維持モラルの向上によるビギナー創造等の効果が期待でき健康産業、医療産業の利用可能性を有する。
【図面の簡単な説明】
【００１５】
【図１】縦断側面図
【図２】縦断正面図
【符号の説明】
【００１６】
Ａ  砂又は粒状及び流動物質
１  既設運動器具の計数及び制御表示装置
２  ホッパー
３  昇降機
４  ランニングベルト
５  搬送機
６  飛散防止板
７  均平板
【図１】
2008220467.tif 000003
【図２】
2008220467.tif 000004